(57)【特許請求の範囲】
【請求項１】
ピックアップによって読み取った光ディスクのデータをデコードする信号処理手段と、
デコードしたデータの状態情報を検出する状態検出手段と、
デコードしたデータをモニタ装置で再生可能なデータ信号に変換して出力するデータ変換手段と、を備えた光ディスク再生装置において、
上記データの状態情報と、上記データの状態情報を検出したデータの記録位置情報と、に基づいて文字データを生成する文字データ生成手段と、
デコードしたデータと、上記文字データと、を合成する合成手段と、
上記合成手段が合成する上記デコードデータと、上記文字データと、の同期をとる制御手段と、を備え、
上記データ変換手段は、上記合成手段で合成したデータをモニタ装置で再生可能なデータ信号に変換して出力し、
前記状態検出手段は、デコードしたデータの状態情報としてエラーレート、及びデータの訂正エラー情報を検出し、
前記制御手段は、光ディスクのエラーレートが所定時間以上連続すると、前記ピックアップが汚損されている旨の警告信号を前記データ変換手段に出力させることを特徴とする光ディスク再生装置。
【請求項２】
ピックアップによって読み取った光ディスクのデータをデコードする信号処理手段と、
デコードしたデータの状態情報を検出する状態検出手段と、
デコードしたデータをモニタ装置で再生可能なデータ信号に変換して出力するデータ変換手段と、を備えたディスク再生装置において、
上記データの状態情報と、上記データの状態情報を検出したデータの記録位置情報と、に基づいて文字データを生成する文字データ生成手段と、
デコードしたデータと、上記文字データと、を合成する合成手段と、
上記合成手段が合成する上記デコードデータと、上記文字データと、の同期をとる制御手段と、を備え、
上記データ変換手段は、上記合成手段で合成したデータをモニタ装置で再生可能なデータ信号に変換して出力し、
前記状態検出手段は、デコードしたデータの状態情報としてエラーレート、又はデータの訂正エラー情報を検出することを特徴とする光ディスク再生装置。
【請求項３】
前記制御手段は、光ディスクのエラーレートが所定時間以上連続すると、前記ピックアップが汚損されている旨の警告信号を前記データ変換手段に出力させることを特徴とする請求項２に記載の光ディスク再生装置。
【発明の詳細な説明】
【０００１】
【発明の属する技術分野】
本発明は、光ディスクのエラーレートを測定した結果を出力して、モニタ装置に表示させることが可能な光ディスク再生装置に関する。
【０００２】
【従来の技術】
近時、映画などのように画像データと音声データとが一体となったソフトが記録されたＤＶＤやＣＤを再生可能な光ディスク再生装置（ＤＶＤプレーヤ）が普及してきている。光ディスク再生装置は、光ディスクに対して光ピックアップからレーザ光を照射し、光ディスクの記録面からの反射光を非接触で読み取って、所定のデータ処理を行って画像や音声を再生する。このように、光ディスク再生装置は、非接触で光ディスクに記録されたデータを再生するので、光ディスクの記録面がほとんど劣化することなく、耐久性に優れていると言われている。
【０００３】
しかし、光ディスクは、取り扱い方法や保管方法によって、その寿命が大きく左右される。例えば、光ディスクを高温多湿の場所で保管した場合、光ディスクの素材であるポリカーボネートは、吸湿したり熱で変形したりする。このように、光ディスクは保管方法を誤ると、短期間で再生できなくなってしまうことがある。また、ＤＶＤやＣＤは、ＤＶＤ−ＲＡＭなど一部の光ディスクを除いて大半がカートリッジに入っておらず、データ記録面が剥き出しである。そのため、光ディスクに対する取り扱いが乱暴であると、光ディスクの表面に傷や汚れが付いてしまう。
【０００４】
光ディスク再生装置は、光ディスクの表面に付いた傷や汚れがひどいと、記録データを読み取ることができないので、画像や音楽などを再生することができない。しかし、光ディスクは、表面に付いた手垢などの汚れがひどくても、クリーナなどで除去すれば光ディスク再生装置で再生できる。また、光ディスク再生装置は、多少傷が付いたものでも再生可能である。これは、光ディスクには、光ディスクの記録面を布などで拭いて汚れを取った際などに多少の傷や汚れが記録面に付いたとしても、エラー訂正機能によって記録データを補正して、光ディスク再生装置で問題なく画像や音声などの記録データを再生することができるように、データが記録されているからである。すなわち、光ディスクには、データの順番を入れ替えたり（インタリーブ）、記録データにエラー検出コード（ＥＤＣ）やエラー訂正コード（ＥＣＣ）を付加したりしてデータが記録されている。したがって、光ディスクは、記録面に多少の傷や汚れが付いていても再生することができるので、その取り扱いにあまり神経質になる必要はない。
【０００５】
しかし、光ディスク記録面の汚れの除去（クリーニング）を頻繁に繰り返すと、布などで記録面を拭いた際に傷が増加して、再生できなくなってしまうことがある。そのため、光ディスクは、記録面が多少汚れている程度なら上記のように再生できるので、汚れの除去は行わない方が良い。このように、光ディスクの汚れがどの程度ならクリーニングを行うべきかの明確な基準は、従来存在しなかった。
【０００６】
このような問題に対して、特開平６−１６２６８７号公報には、エラー訂正状態モニタ信号を内部クロックに同期して出力するエラー訂正回路を含むＣＤ用信号処理回路に関する技術が開示されている。このＣＤ用信号処理回路は、エラー訂正状態モニタ信号を内部クロックに同期してホールド回路に取り込んで一時的にホールドし、これを外部から供給される読み出しクロックに同期して出力するようにしている。そのため、ＣＤ用信号処理回路が出力したエラー訂正状態モニタ信号はマイコンで読み取ることができるので、マイコンでエラーレートの算出ができる。したがって、例えば算出したエラーレートが設定値以上の場合に、ＣＤプレーヤのディスプレイなどに光ディスクのクリーニングの指示メッセージを表示させることが可能となり、ユーザは容易に光ディスク（ＣＤ）のクリーニング時期を把握できる。また、ＣＤ用信号処理回路を内蔵した光ディスク再生装置では、上記の機能を、セット・アッセンブリの最終工程におけるセットの最終チェック、すなわち最終プレイアビリティ評価に利用できる。つまり、光ディスク再生装置に何らかの異常があったなら、エラーレートとして異常な値を示すことになるので、正常なテストディスクを再生したときに算出したエラーレートを利用して、最終プレイアビリティ評価の自己判断を実現できる。
【０００７】
また、特開２００１−２９７５１６公報には、ディスク（例えばＤＶＤ）から読み取ったデータに含まれる各種ディスク情報信号処理手段から取得して、このディスク情報に基づいてディスクの状態を表示する表示手段を備えたディスク再生装置に関する技術が開示されている。このディスク再生装置によれば、ディスクを装置に装填し、再生を開始すると、任意のタイミング又は使用者による操作によって、ディスクの状態が表示手段に表示されるので、使用者は、そのディスクの状態がどのようになっているのかを正確に知ることができる。したがって、ユーザは、ディスクに傷や汚れを付けないように対応することができる。また、このディスク再生装置は、特開平６−１６２６８７号公報のＣＤ用信号処理回路と同様に、上記機能により最終プレイアビリティ評価を行うことができる。
【０００８】
【発明が解決しようとする課題】
画像データと音声データとが一体となったソフトが記録されたＤＶＤやＣＤを光ディスク再生装置で再生した場合に、光ディスクの記録データの読み取りや補正がうまくいかなかったために、再生中の画像にちらつきが発生したり、音飛びが発生したりすることがある。このような不具合が発生する原因としては、光ディスクに付いた傷や汚れの影響、光ディスク自身の劣化、及び光ディスク再生装置の不具合などが挙げられる。上記のように、光ディスクの再生中に不具合が発生した場合、光ディスクの再生中に再生データの状態、すなわちエラーレートなどがリアルタイムで確認できると、その光ディスクの再生を停止して記録面を確認することで、不具合の原因が傷や汚れによるものか、光ディスクの劣化によるものか、又は光ディスク再生装置の不具合によるものか、を把握できる。また、光ディスク再生装置がこのような機能を備えていると、最終プレイアビリティ評価を詳細に行うことができ、光ディスク再生装置の品質を向上させることができる。
【０００９】
しかしながら、従来、そのような機能を備えた光ディスク再生装置は存在しなかった。例えば、前記の特開平６−１６２６８７号公報のＣＤ用信号処理回路は、マイコンでエラーレートの算出ができるが、ＣＤに記録されたオーディオデータに対してエラー訂正を行う回路であるため、画像データと音声データとが一体的に記録されたＤＶＤを再生可能な光ディスク再生装置には適用できない。
【００１０】
また、特開２００１−２９７５１６公報の光ディスク再生装置は、データのエラーレートとしては最大値のみを表示し、ディスクが再生可能であるかどうか、また、限界値までどれぐらいの余裕度があるかを表示するのみであり、リアルタイムでエラーレートを確認することはできない。
【００１１】
そこで、本発明は、画像データや音声データが一体的に記録された光ディスクの再生中に、アドレスブロック毎のエラーレート測定値を明示できる光ディスク再生装置を提供することを目的とする。
【００１２】
【課題を解決するための手段】
本発明の光ディスク再生装置は上記の課題を解決するために以下の構成を備えている。すなわち、ピックアップによって読み取った光ディスクのデータをデコードする信号処理手段と、デコードしたデータの状態情報を検出する状態検出手段と、デコードしたデータをモニタ装置で再生可能なデータ信号に変換して出力するデータ変換手段と、を備えたディスク再生装置において、上記データの状態情報と、上記データの状態情報を検出したデータの記録位置情報と、に基づいて文字データを生成する文字データ生成手段と、デコードしたデータと、上記文字データと、を合成する合成手段と、上記合成手段が合成する上記デコードデータと、上記文字データと、の同期をとる制御手段と、を備え、上記データ変換手段は、上記合成手段で合成したデータをモニタ装置で再生可能なデータ信号に変換して出力し、前記状態検出手段は、デコードしたデータの状態情報としてエラーレート、又はデータの訂正エラー情報を検出することを特徴とする。
【００１３】
この構成においては、光ディスク再生装置は、ピックアップによって読み取った光ディスクのデータをデコードした際に、そのデータの状態情報及び記録位置情報を検出する。そして、これらの情報に基づいて文字データを生成し、この問文字データと、デコードしたデータと、の同期をとりながらモニタ装置で再生可能なデータ信号に変換して出力する。
【００１４】
したがって、光ディスク再生装置のユーザは、光ディスク再生装置で光ディスクを再生する際に、光ディスクの状態情報と記録位置情報とを再生データとともに確認できるので、状態情報に応じて再生データがどのように変化するかを確認することが可能となる。つまり、光ディスクの劣化状態や記録面の汚れの状態が光ディスクに記録された画像データや音声データにどのように影響するかを確認することが可能となる。また、光ディスク再生装置の出荷時に検査装置を使用することなく、光ディスクのプレイアビリティ評価を詳細に行うことが可能となる。また、光スタンパを用いて製造した光ディスクを抜き取り検査した場合に、光ディスクのエラーレートを確認することで、光ディスクのプレイアビリティ評価だけでなく、スタンパの劣化状態を把握することが可能となる。
【００１５】
また、デコードしたデータの状態情報としては、エラーレートを用いることができる。これにより、光ディスクの劣化状態や記録面の汚れの状態に応じて、エラーレートがどのように変化し、又、光ディスクに記録された画像データや音声データにどのように影響するかを確認することが可能となる。
【００１６】
さらに、デコードしたデータの状態情報としては、データの訂正エラー情報を用いることができる。これにより、光ディスクに付いた傷や汚れがどの程度までなら再生できるかを確認することが可能となる。
【００１７】
加えて、前記制御手段は、光ディスクのエラーレートが所定時間以上連続すると、前記ピックアップが汚損されている旨の警告信号を前記データ変換手段に出力させることを特徴とする。これにより、ピックアップのクリーニング時期を判定することが可能となる。
【００１８】
【発明の実施の形態】
図１は、本発明の光ディスク再生装置の概略構成を示したブロック図である。光ディスク再生装置１は、ディスクモータ２、ピックアップ３、ＲＦアンプ４、信号処理手段である信号処理回路５、サーボ処理回路６、トラックバッファＲＡＭ７、状態検出手段であるフロントエンドＣＰＵ８、スレッドモータ９、トレイモータ１０を備えている。また、光ディスク再生装置１は、Ａ／Ｖ（Audio/Video）デコーダ１１、データ変換手段であるＯＳＤ（On Screen Display）画像生成部１２、データ変換手段であるビデオエンコーダ１３及びＤ／Ａコンバータ１４、Ａ／ＶデコーダＲＡＭ１５、制御手段であるバックエンドＣＰＵ１６、合成手段である合成画像生成部１７、メモリ部１８、フロントパネルコントローラ１９、フロントパネル２０、キー入力部２１、並びにリモコン２２を備えている。さらに、ビデオエンコーダ１３、Ｄ／Ａコンバータ１４によって、データ変換手段が構成されている。加えて、光ディスク再生装置１のビデオ出力端子１３ａ，１３ｂ及びオーディオ出力端子１４ａに、ケーブルを介してモニタ装置３１を接続することで、モニタ装置３１で画像データ及び音声（オーディオ）データを再生することができる。
【００１９】
ディスクモータ２は、光ディスクＤを回転駆動する。ピックアップ３は、レーザダイオードや受光素子などを備えており、光ディスクＤの記録面にレーザ光を照射して、この光ディスクＤからの反射光を読み取って、反射光に応じたＲＦ信号をＲＦアンプ４に出力する。ＲＦアンプ４は、ピックアップ３から出力されたＲＦ信号を増幅して、信号処理回路５及びサーボ処理回路６へ出力する。信号処理回路５は、ＤＶＤデータのデコード処理やＣＤ−ＲＯＭデータのデコード処理を行う。サーボ処理回路６は、フロントエンドＣＰＵ８から信号処理回路５を経由して送受信されるコマンドや制御データに従い、ピックアップ３に対するフォーカシングサーボやトラッキングサーボのサーボ制御を行う。また、スレッドモータ９の制御やトレイモータ１０の制御を行う。トラックバッファＲＡＭ７は、ＤＶＤ規格に従ってデコードされたデータ（例えば、ＭＰＥＧ（Motion Picture Expert Group ）により圧縮されているデータ）を一旦格納する。フロントエンドＣＰＵ８は、ＲＦアンプ４、信号処理回路５、及びサーボ処理回路６を制御する。また、フロントエンドＣＰＵ８は、光ディスクＤに記録された画像データ及び音声データの再生中にエラーレートを測定して、測定結果をメモリ部１８に格納・更新する。スレッドモータ９は、ピックアップ３全体を光ディスクＤの半径方向に移動させる。トレイモータ１０は、ディスクＤを装填する図外のトレイを駆動する。
【００２０】
Ａ／Ｖデコーダ１１は、トラックバッファＲＡＭ７から読み出されたＭＰＥＧにより圧縮されているデータを伸長する。ＯＳＤ画像生成部１２は、バックエンドＣＰＵからの信号に応じて、モニタ装置３１に表示可能な文字データを生成する。ビデオエンコーダ１３は、合成画像生成部１７から出力されたビデオデータをアナログのビデオ信号に変換し、このビデオ信号をビデオ出力端子１３ａ，１３ｂへ出力する。Ｄ／Ａコンバータ１４は、Ａ／Ｖデコーダ１１によって伸長されたオーディオデータをアナログのオーディオ信号に変換し、このオーディオ信号をオーディオ出力端子１４ａへ出力する。Ａ／ＶデコードＲＡＭ１５は、Ａ／Ｖデコーダ１１によって伸長されたデータを一旦格納する。バックエンドＣＰＵ１６は、Ａ／Ｖデコーダ１１、ＯＳＤ画像生成部１２、及びフロントパネルコントローラ１９を制御する。また、バックエンドＣＰＵ１６は、フロントエンドＣＰＵ８と信号及びデータのやり取りを行う。合成画像生成部１７は、Ａ／Ｖデコーダ１１によって伸長されたビデオデータと、ＯＳＤ画像生成部１２によって生成された文字データと、がモニタ装置３１の画面に重畳して表示されるように、両データを合成する。メモリ部１８は、フロントエンドＣＰＵ８が信号処理回路５及びサーボ処理回路６より取得した各種ディスク情報を記憶する。フロントパネルコントローラ１９は、フロントパネル２０の表示制御を行う。フロントパネル２０は、ＬＣＤ等からなり、再生中のデータの情報やユーザに伝達する事項などを表示する。キー入力部２１及びリモコン２２は、光ディスクの情報をフロントパネル２０に表示させるための表示キーを備えている。
【００２１】
ここで、トラックバッファＲＡＭ７及びＡ／ＶデコードＲＡＭ１５は、光ディスクに記録されたデータを所定時間分記憶することができる。また、トラックバッファＲＡＭ７に蓄えられたデータは、バックエンドＣＰＵ１６からの読み出し要求に従って順次読み出され、読み出されたデータは次のデータによって順次上書きされる。さらに、Ａ／ＶデコードＲＡＭ１５に蓄えられたデータは、バックエンドＣＰＵ１６からの読み出し要求に従って順次読み出され、トラックバッファＲＡＭ７から読み出され転送されてきた次のデータによって順次上書きされる。これが繰り返されることにより、モニタ装置３１へ画像データが順次出力される。
【００２２】
本発明の実施形態に係る光ディスク再生装置１は、前記のように、光ディスクＤに記録された画像データ及び音声データの再生中にエラーレートを測定する。そのため、光ディスク再生装置１は、光ディスクを再生する際、又は光ディスクの再生中に、キー入力部２１又はリモコン２２でエラーレート測定表示モードが選択されると、メモリ部１８からエラーレートを読み出す。そして、画像データ及び音声データとエラーレートとを同期させて、画像データ及び音声データとともにデータのエラーレートを含んだ信号を出力する。したがって、光ディスク再生装置１に接続したモニタ装置３１には、画像データや音声データとともに再生中のデータのエラーレートが表示される。
【００２３】
また、本発明の光ディスク再生装置１では、アドレスブロック毎のエラーレート測定値を、アドレスブロックの先頭アドレスとともに、モニタ装置３１へ表示させることができる。したがって、光ディスクのプレイアビリティ評価を行うことができる。
【００２４】
さらに、光ディスク再生装置１では、エラーレート測定時にビット化けなどのエラー（データの訂正エラー情報）を検出し（以下、ＥＤＣエラーと称する。）、ＥＤＣエラーが発生した場合、モニタ装置３１へＥＤＣエラーが発生したことを表示させる。したがって、光ディスク再生装置１が、光ディスクに付いた傷や汚れがどの程度までなら問題なく再生できるかなどを明確にすることができる。
【００２５】
このように、光ディスク再生装置１は、モニタ装置３１に、画像データや音声データとともに、この再生中のデータのエラーレート、アドレスブロックの先端アドレス、ＥＤＣエラーの有無を表示させることができる。なお、キー入力部２１又はリモコン２２を操作して、エラーレート測定表示モードの選択を中止すると、画像データや音声データのみの再生に切り替えることができる。
【００２６】
図２は、光ディスク再生装置の出力信号をモニタ装置に表示させた画面内容の一例である。図２に示したように、光ディスク再生装置１は、前記のようにデコードしたデータをバッファに格納しながらデータを出力しているので、エラーレート測定表示モードが選択されると、データを先読みした際にエラーレートの測定データもバッファに蓄積する。
【００２７】
例えば、図２に示したように、光ディスクの再生中の画像データに重畳して、再生しているデータのトラック番号及びトラックの再生時間４１、記録位置情報であるアドレスブロックの先端アドレス４２、エラーレートの測定結果として、アドレスブロック中で修正可能なエラーデータ数４３、及びアドレスブロック中で修正不可能なエラーデータ数４４を表示している。また、光ディスク再生装置１は、表示している画像データのアドレスブロック、及び表示しているデータの前後のアドレスブロックについて、修正可能なエラーデータ数４３、及び修正不可能なエラーデータ数４４を表示している。さらに、ＥＤＣエラーの発生告知４５を表示している。なお、このようにして表示する各情報は、例えば光ディスクがＤＶＤの場合、１秒毎に更新するように設定している。また、光ディスクがＣＤの場合、２秒毎に更新するように設定している。
【００２８】
したがって、光ディスク再生装置１のユーザは、光ディスク再生装置１で光ディスクを再生する際に、エラーレート測定表示モードを選択することで、光ディスクのエラーレートを常時確認できるので、光ディスクの劣化状態や記録面の汚れの状態を確認できる。また、光ディスクの傷や汚れがどの程度までなら再生可能であるかを確認することができる。さらに、光ディスク再生装置１の出荷時には、検査装置を使用することなく、光ディスクのプレイアビリティ評価を詳細に行うことができる。
【００２９】
また、光ディスクはスタンパを使用して製造するが、光ディスクの製造量に応じてスタンパは劣化し、それに伴って光ディスクの品質も低下する。したがって、光ディスク再生装置１を用いて、製造した光ディスクの抜き取り検査として光ディスクのエラーレートを確認することで、光ディスクの品質だけでなく、スタンパの劣化状態を把握することができる。
【００３０】
また、本発明の光ディスク再生装置１は、予め設定したエラーレートの閾値を超えた状態が所定時間以上続いた場合、ピックアップ３のクリーニングを促す表示をモニタ装置３１へ表示させるように警告信号を出力する。これは、光ディスク再生装置１のピックアップ３のレーザ光出射部又はレーザ光受光部に埃などが溜まった場合、光ディスクの記録面の表面全体が汚れたのと同様な状態となるためである。このように、本発明の光ディスク再生装置１は、ピックアップ３のクリーニング時期を判定することもできる。なお、上記の所定時間は、バックエンドＣＰＵ１６で計時プログラムにより計時するように設定すると良い。また、上記の警告信号は、バックエンドＣＰＵ１６からの指示で、ＯＳＤ画像生成部１２でクリーニングを促す文字データを生成して、合成画像生成部１７へ出力するようにしても良い。
【００３１】
次に、上記構成の光ディスク再生装置における再生時の動作について説明する。まず、光ディスク再生装置１の通常の動作について説明する。光ディスクＤの記録データはピックアップ３で読み取られてＲＦ信号としてＲＦアンプ４に出力される。ＲＦアンプ４は、このＲＦ信号の波形整形及び増幅を行い、信号処理回路５に出力する。信号処理回路５は、ＲＦアンプ４から出力された信号をＤＶＤ規格に従いデコードする。また、信号処理回路５は、デコードしたデータを、ＭＰＥＧにより圧縮されている状態でトラックバッファＲＡＭ７に順次蓄積して、バックエンドＣＰＵ１６から読み出し要求があるまで待機する。
【００３２】
バックエンドＣＰＵ１６から読み出し要求があると、トラックバッファＲＡＭ７に蓄積されたデータは、信号処理回路５に順次読み出されて、Ａ／Ｖデコーダ１１に転送される。そして、Ａ／Ｖデコーダ１１は、ＭＰＥＧにより圧縮されているデータの伸長処理を行い、このデータをビデオデータ及びオーディオデータにデコードする。また、Ａ／Ｖデコーダ１１は、デコードしたビデオデータ及びオーディオデータを、Ａ／ＶデコードＲＡＭ１５に一旦蓄積して、バックエンドＣＰＵ１６から読み出し要求があるまで待機する。
【００３３】
バックエンドＣＰＵ１６からの読み出し要求があると、Ａ／ＶデコードＲＡＭ１５に蓄積されたビデオデータ及びオーディオデータは、Ａ／Ｖデコーダ１１に順次読み出される。そして、Ａ／Ｖデコーダ１１に順次読み出されたビデオデータは、合成画像生成部１７を介してビデオエンコーダ１３に順次転送される。なお、通常は合成画像生成部１７では何も処理は行われない。また、Ａ／Ｖデコーダ１１に順次読み出されたオーディオデータは、Ｄ／Ａコンバータ１４に転送される。
【００３４】
ビデオエンコーダ１３は、Ａ／Ｖデコーダ１１から転送されたビデオデータをアナログのビデオ信号に変換して、ビデオ出力端子１３ａ，１３ｂへ出力する。また、Ｄ／Ａコンバータ１４は、Ａ／Ｖデコーダ１１から転送されたディジタルのオーディオデータをアナログのオーディオ信号に変換して、オーディオ出力端子１４ａへ出力する。
【００３５】
モニタ装置３１は、ケーブルを介して光ディスク再生装置１のビデオ出力端子１３ａ，１３ｂ及びオーディオ出力端子１４ａから出力された信号を受信して、内部で所定の処理を行って画像データ及びオーディオデータを再生する。
【００３６】
次に、光ディスク再生装置１において、エラーレート測定表示モードが選択された場合の動作について説明する。図３は、本発明の光ディスク再生装置においてエラーレート測定表示モードが選択された場合の動作を説明するためのフローチャートである。
【００３７】
ユーザによって、光ディスク再生装置１のキー入力部２１又はリモコン２２でエラーレート測定表示モードの選択動作が行われると、フロントパネルコントローラ１９を介してバックエンドＣＰＵ１６へ信号が送信される（ｓ１）。バックエンドＣＰＵ１６は、この信号を検出すると、フロントエンドＣＰＵ８に対して光ディスクＤの情報読み出しを指示する信号を送信する（ｓ２）。フロントエンドＣＰＵ８は、この読み出し指示信号を受信すると、既に蓄積している光ディスクの情報をメモリ部１８から読み出して、バックエンドＣＰＵ１６に送信する  （ｓ３）。バックエンドＣＰＵ１６は、この送信されてきた光ディスク情報をＯＳＤ画像生成部１２へ送信する（ｓ４）。ＯＳＤ画像生成部１２は、バックエンドＣＰＵ１６から送信されてきた光ディスクの情報に基づいて、データのトラック番号及びトラックの再生時間４１、アドレスブロックの先端アドレス４２、修正可能なエラーデータ数４３、修正不可能なエラーデータ数４４、及びＥＤＣエラーの発生告知４５などの文字データを生成して、合成画像生成部１７へ出力する（ｓ５）。また、Ａ／Ｖデコーダ１１は、ビデオデータを合成画像生成部１７へ出力する（ｓ６）。ここで、バックエンドＣＰＵ１６は、ＯＳＤ画像生成部１２が出力する文字データと、Ａ／Ｖデコーダ１１が出力するビデオデータ及びオーディオデータと、の同期をとって、合成画像生成部１７でビデオデータと文字データとにずれが生じないようにしている。合成画像生成部１７は、Ａ／Ｖデコーダ１１から出力されたビデオデータと、ＯＳＤ画像生成部１２から出力された文字データと、の合成を行って画像データをビデオエンコーダ１３へ出力する  （ｓ７）。
【００３８】
ビデオエンコーダ１３は、Ａ／Ｖデコーダ１１から転送されたビデオデータをアナログのビデオ信号に変換してビデオ出力端子１３ａ，１３ｂへ出力する。また、Ｄ／Ａコンバータ１４は、Ａ／Ｖデコーダ１１から転送されたディジタルのオーディオデータをアナログのオーディオ信号に変換して、オーディオ出力端子１４ａへ出力する（ｓ８）。
【００３９】
モニタ装置３１は、ケーブルを介して光ディスク再生装置１のビデオ出力端子１３ａ，１３ｂ及びオーディオ出力端子１４ａから出力された信号を受信して、内部で所定の処理を行って、前記の図２に示したような光ディスク情報の文字データが重なった画像データをオーディオデータとともに再生する（ｓ９）。
【００４０】
なお、本発明の光ディスク再生装置が再生する光ディスクとしては、ＤＶＤの他にビデオデータの記録されたＣＤ、ＬＤなどを用いることができる。
【００４１】
【発明の効果】
以上のように、本発明によれば、光ディスクのエラーレートを常時確認できるので、光ディスクの劣化状態や記録面の汚れの状態を確認できる。また、光ディスクの傷や汚れがどの程度までなら再生可能であるかを確認することができる。さらに、光ディスク再生装置の出荷時には、検査装置を使用することなく、光ディスクのプレイアビリティ評価を詳細に行うことができる。加えて、光スタンパを用いて製造した光ディスクを抜き取り検査した場合に、光ディスクのエラーレートを確認することで、光ディスクのプレイアビリティ評価だけでなく、スタンパの劣化状態を把握することができる。また、本発明の光ディスク再生装置は、ピックアップのクリーニング時期を判定することができる。
【図面の簡単な説明】
【図１】本発明の光ディスク再生装置の概略構成を示したブロック図である。
【図２】光ディスク再生装置の出力信号をモニタ装置に表示させた画面内容の一例である。
【図３】本発明の光ディスク再生装置においてエラーレート測定表示モードが選択された場合の動作を説明するためのフローチャートである。
【符号の説明】
１：光ディスク再生装置
５：信号処理回路
８：フロントエンドＣＰＵ
１２：ＯＳＤ画像生成部
１３：ビデオエンコーダ
１４：Ｄ／Ａコンバータ
１７：合成画像生成部
【図１】
0003680944.tif 000002
【図２】
0003680944.tif 000003
【図３】
0003680944.tif 000004